(57)【要約】【課題】電源オフ時の全波整流回路の出力電圧の低下を検出して点灯装置の各種制御を行う場合に、電源遮断後の低電源電圧検出回路の動作が不用意に遅れることを防止し、短時間で確実に電源の遮断を検出可能とすることで、低電源電圧検出回路による点灯装置の様々な制御を確実なものとする。【解決手段】商用交流電源ＡＣを全波整流する全波整流回路ＤＢと、前記全波整流回路ＤＢの出力電圧を受けてランプＬａを点灯制御する点灯回路と、前記全波整流回路ＤＢの出力端間に接続されるコンデンサＣ４と、前記全波整流回路ＤＢの出力電圧の低下を検出する低電源電圧検出回路２を備える点灯装置において、前記全波整流回路ＤＢの入力側ラインの一端もしくは両端から少なくとも一つの容量性素子Ｃ５，Ｃ６を介して大地に接地する経路を設けた。【選択図】図１
2006196318.tif 000002
【特許請求の範囲】
【請求項１】
商用交流電源を全波整流する全波整流回路と、前記全波整流回路の出力電圧を受けてランプを点灯制御する点灯回路と、前記全波整流回路の出力端間に接続されるコンデンサと、前記全波整流回路の出力電圧の低下を検出する低電源電圧検出回路を備える点灯装置において、前記全波整流回路の入力側ラインの一端もしくは両端から少なくとも一つの容量性素子を介して大地に接地する経路を設けたことを特徴とする点灯装置。
【請求項２】
前記商用交流電源は、その一端が電源をオン／オフするスイッチ素子を介して前記点灯回路へと接続され、その他端がスイッチ素子を介さずに直接前記点灯回路へと接続されるとともに、前記商用交流電源のスイッチ素子を介さない他端は大地に接地されていないことを特徴とする請求項１記載の点灯装置。
【請求項３】
前記低電源電圧検出回路は、前記全波整流回路の出力電圧の低下を検出することにより、前記電源スイッチがオン状態からオフ状態に移行したことを検出することを特徴とする請求項１または２記載の点灯装置。
【請求項４】
前記点灯回路は、前記低電源電圧検出回路の出力を受けて、前記ランプの点灯状態を切り替える点灯状態制御手段を有することを特徴とする請求項３記載の点灯装置。
【請求項５】
前記点灯回路は、さらにランプの無負荷状態を検出する無負荷検出回路を有し、前記低電源電圧検出回路の出力と前記無負荷検出回路の出力の双方を受けて前記ランプの点灯状態を切り替える点灯状態制御手段を有することを特徴とする請求項４記載の点灯装置。
【請求項６】
前記点灯状態制御手段は、ランプヘの電力の供給を停止させる制御手段であることを特徴とする請求項４または５記載の点灯装置。
【請求項７】
前記点灯状態制御手段は、ランプヘ供給する電力レベルの設定値を可変する制御手段であることを特徴とする請求項４または５記載の点灯装置。
【請求項８】
前記点灯状態制御手段は、前記ランプの点灯状態をメモリーに記憶する点灯状態記憶手段を有し、前記低電源電圧検出回路の出力、または前記低電源電圧検出回路の出力と前記無負荷検出回路の出力の双方を受けて、記憶された点灯状態を所定値にリセットするリセット手段を有することを特徴とする請求項４または５記載の点灯装置。
【請求項９】
前記メモリーに記憶する点灯状態は、前記ランプの累積点灯時間であり、前記リセット手段は前記メモリーに記憶された累積点灯時間を初期値にリセットする手段であることを特徴とする請求項８記載の点灯装置。
【請求項１０】
請求項１〜９のいずれかに記載の点灯装置、およびランプを具備することを特徴とする照明器具。
【発明の詳細な説明】
【技術分野】
【０００１】
本発明はランプの点灯装置に関し、特に商用電源として３線式電源または４線式電源と片切りスイッチとの組み合わせで用いられる可能性のある点灯装置の改良に関する。
【背景技術】
【０００２】
商用電源を電源とし、ランプ（例えば放電灯）を点灯制御する点灯装置としては、商用電源の電源電圧を検出し、商用電源電圧が異常に低下した場合や、スイッチ手段によって電源が遮断されたことを検出し、ランプの各種制御をおこなうものがある。その代表的な例を図８に示す。この点灯装置では、商用電源ＡＣが電源スイッチ素子ＳＷを介してラインフィルタＬＦ１の入力端に接続されている。ラインフィルタＬＦ１の出力端にはノーマルフィルタＬＦ２を介して全波整流回路ＤＢの入力端が接続されている。
【０００３】
全波整流回路ＤＢの出力端には、フィルタコンデンサＣ４が接続されている。また、全波整流回路ＤＢの一端には、二つのコンデンサＣ５，Ｃ６の直列回路を介して大地へと接地される接地回路が接続されている。さらに、全波整流回路ＤＢの出力端にインダクタＬ１とスイッチング素子Ｑ３と整流ダイオードＤ１と電解コンデンサＣ１からなるチョッパ回路が接続されている。
【０００４】
チョッパ回路は、全波整流回路ＤＢの出力脈流電圧を直流電圧に変換し、電解コンデンサＣ１の両端に平滑された直流電圧を発生する。前記直流電圧は、スイッチング素子Ｑ１，Ｑ２およびカップリングコンデンサＣ２で構成されるインバータ回路によって高周波の交流電圧に変換され、さらにインダクタＬ２およびコンデンサＣ３より構成される共振回路を介して負荷である放電灯Ｌａに電力を供給し、放電灯Ｌａを高周波で点灯するものである。
【０００５】
インバータ制御部１は、チョッパ回路を構成するスイッチング素子Ｑ３、およびインバータ回路を構成するスイッチング素子Ｑ１、Ｑ２に駆動信号を供給し、チョッパ回路およびインバータ回路の駆動を制御するものである。
【０００６】
全波整流回路ＤＢの出力端には抵抗器Ｒ１，Ｒ２による分圧回路が接続され、分圧された電圧を低電源電圧検出回路２によって監視することにより、全波整流回路ＤＢの出力電圧値を監視している。このような低電源電圧検出回路２を備えた点灯装置においては、全波整流回路ＤＢの出力電圧の低下を検出することにより、例えばインバータ制御部１に停止信号を発生し、放電灯Ｌａへの電力の供給を停止することにより、電源電圧が異常に低下した場合の回路の保護を実現する。また、スイッチ素子ＳＷによって電源が遮断された場合に放電灯Ｌａへの電力の供給を停止することにより、電源遮断後に電解コンデンサＣ１の残留電荷によって、放電灯Ｌａへの電力の供給が継続することを防止し、安全性を高めることができるものである。
【０００７】
また、このような低電源電圧検出回路を応用した従来例としては、例えば、特開２００１−１５２７６号公報（特許文献１）に記載された技術がある。この特許文献１では、放電灯と、放電灯を点灯させるとともに放電灯への供給電力を制御可能な放電灯点灯装置と、放電灯点灯装置への給電時間を放電灯の点灯時間として計時する点灯時間タイマと、放電灯の点灯時間の経過に伴う光束低下を抑制するように点灯時間タイマにより計時された点灯時間に応じて放電灯への供給電力を放電灯点灯装置に指示する照度補正装置とを一つの器具に備える照明装置が開示されている。このように放電灯の点灯時間を記憶する計時タイマを備える放電灯点灯装置においては、放電灯の交換時に記憶された点灯時間の値を初期値にリセットする必要がある。特許文献１の技術によると、この点灯時間タイマをリセットする手段として、電源をオンオフさせる電源スイッチと、電源のオンオフが規定手順であるときに点灯時間タイマをリセットするリセット制御部とを備える照明装置が開示されている。これは、例えば、電源がオン２秒間、オフ２秒間、オン２秒間、オフ２秒間の後にオンになると点灯時間のリセットが指示されたものと判断して点灯時間タイマに記憶された点灯時間をリセットするように構成したものである。
【０００８】
また、同様の従来例としては、例えば、特開２００４−２４７２２５号公報（特許文献２）に記載された技術がある。この特許文献２では、前述の特許文献１において、放電灯の交換時に点灯時間タイマをリセットする手段として、電源投入後の無負荷検出情報によって、記憶しているランプ点灯時間を初期値にリセットするようにしたものである。これは、例えば、使用者が意図的に点灯時間をリセットしたい場合に、放電灯を取り外した無負荷状態にして照明装置へ電源投入を行った後、電源を切る、という動作を３回連続して繰り返し行うことにより、初めて点灯時間がリセットできるものである。本従来例は、通常使用時における電源のオン・オフによって、意図しない点灯時間のリセットが行なわれることを防止したものである。
【特許文献１】特開２００１−１５２７６号公報
【特許文献２】特開２００４−２４７２２５号公報
【発明の開示】
【発明が解決しようとする課題】
【０００９】
ところが、従来例で説明した図８の回路構成において、商用電源として例えば単相３線式電源が使用される場合があり得る。単相３線式電源とは、図９に示すような変圧器を用いて電源電圧を得るものであり、変圧器の１次巻線（端子１−端子２間）には、例えば６，０００Ｖの単相電源が接続される。変圧器の２次側には２つの巻線（Ａ−Ｎ間，およびＮ−Ｂ間）があり、各々の巻線が互いに直列に接続されている。ここで２つの巻線の接続点（端子Ｎ）は中性線と呼ばれ、大地へと接地される。各々の巻線（端子Ａ−端子Ｎ間，および端子Ｎ−端子Ｂ間）に変圧器によって降圧された１００Ｖの単相電圧が発生することにより、２つの巻線間（端子Ａ−端子Ｂ間）に合計２００Ｖの単相電圧を得ることができる。この端子Ａ−端子Ｂ間に発生する２００Ｖの単相電圧からスイッチＳＷを介して負荷へ電源を供給する。スイッチＳＷとしては、端子Ａ側と端子Ｂ側の両方を遮断する両切りスイッチも用いられるが、ここでは、端子Ａ側のみを遮断する片切りスイッチを使用した場合を考える。
【００１０】
このような、単相３線式電源と片切りスイッチとの組合せで従来例で説明した図８の回路を駆動した場合の動作説明図を図１０に示す。図１０においては、単相３線式電源の２つの２次巻線を各々ＡＣ１，ＡＣ２として図示している。また、電源遮断時の動作波形を図１１に示す。
【００１１】
図１０によると、スイッチＳＷがオン状態からオフ状態に移行した場合においても、単相３線式電源の２次巻線の一方に発生する電圧ＡＣ２を電源として、図中の点線で示した経路（ＡＣ２→ＬＦ１→ＤＢ→Ｃ４→Ｃ５→Ｃ６→大地→ＡＣ２）で電流が流れ続けることになる。このため、図１１に示すように全波整流回路ＤＢの出力端に接続されるフィルタコンデンサＣ４に電荷が蓄積されるため、フィルタコンデンサＣ４の電圧は電源が遮断されたにも関わらずゼロまで低下しないまま、一定の電圧を保つことになる。さらに時間が経過すると、電解コンデンサＣ１の電圧がフィルタコンデンサＣ４の電圧よりも低下するため、整流ダイオードＤ１を介してフィルタコンデンサＣ４の電荷が放電され、フィルタコンデンサＣ４の電圧が低下を始めることとなる。通常、電解コンデンサＣ１としては、比較的容量の大きなコンデンサが使用されるため、電解コンデンサＣ１の電圧が低下する時間は比較的長いものとなる。
【００１２】
よって、低電源電圧検出回路２が電源電圧の低下を検出するための閾値が、電源ＡＣ２によって充電されるフィルタコンデンサＣ４の残留電圧による検出電圧よりも低い場合には、スイッチＳＷを遮断したにも関わらず低電源電圧検出回路２が動作するまでに相当の時間を要することになる。
【００１３】
スイッチＳＷを遮断した後の低電源電圧検出回路２が動作するまでの時間が、単相３線式電源と片切りスイッチとの組合せで、不用意に長くなることにより、従来例で説明したような構成において、電源遮断時における放電灯への電力供給の停止が遅れ、電源遮断後においても不用意に放電灯への電力供給が継続することになる。また、従来例で説明したような、規定された電源のオンオフ手段によって記憶された点灯時間のリセットを行なうような機能を備えた点灯装置においては、電源を所定の時間オフしても点灯装置が電源がオフされたことを認識しないため、正常に点灯時間のリセットを行なうことができない可能性がある。
【００１４】
なお、ここでは単相３線式電源と片切りスイッチとの組合せで使用した場合を例に説明したが、単相３線式電源だけでなく、例えば３相４線式電源などを片切りスイッチで遮断した場合のように、スイッチを有しない側の電源ラインと大地間に対地電圧が発生し続けるような構成の電源であれば、同様の課題が発生する。
【課題を解決するための手段】
【００１５】
本発明による点灯装置は、上記の課題を解決するために、図１〜図７に示すように、商用交流電源ＡＣを全波整流する全波整流回路ＤＢと、前記全波整流回路ＤＢの出力電圧を受けてランプＬａを点灯制御する点灯回路と、前記全波整流回路ＤＢの出力端間に接続されるコンデンサＣ４と、前記全波整流回路ＤＢの出力電圧の低下を検出する低電源電圧検出回路２を備える点灯装置において、前記全波整流回路ＤＢの入力側ラインの一端もしくは両端から少なくとも一つの容量性素子Ｃ５，Ｃ６（Ｃ７）を介して大地に接地する経路を設けたことを特徴とするものである。
【発明の効果】
【００１６】
本発明によれば、雑音低減用に電源とアース間に接続される容量性素子を全波整流回路よりも入力側に接続したことにより、例えば、単相３線式電源と片切りスイッチとの組合せのように、スイッチを遮断してもスイッチを有しない電源ラインと大地間に対地電圧が発生し続けるような構成で使用される場合でも、全波整流回路を介して流れる電流の経路を遮断し、全波整流回路の出力電圧を直ちに低下させることができる。これにより、電源オフ時の全波整流回路の出力電圧の低下を検出して点灯装置の各種制御を行う場合において、電源遮断後の低電源電圧検出回路の動作が不用意に遅れることがないから、所定の時間で確実に電源の遮断を検出することができ、低電源電圧検出回路による点灯装置の様々な制御を確実に行なえる。
【発明を実施するための最良の形態】
【００１７】
（実施形態１）
本発明の実施形態１を図１に示す。本実施形態において電源としては単相３線式電源を用いている。図１に示す回路ではＡＣ１、ＡＣ２から成る単相３線式電源の両端間に片切りスイッチであるＳＷを介してラインフィルターＬＦ１の入力端が接続されており、ラインフィルターＬＦ１の出力端はノーマルフィルターＬＦ２を介して電源を全波整流する全波整流回路ＤＢの入力端に接続されている。全波整流回路ＤＢの出力端間にはチョッパー用のインダクタＬ１と整流ダイオードＤ１と電解コンデンサＣ１の直列回路が接続されており、整流ダイオードＤ１と電解コンデンサＣ１との直列回路と並列にスイッチング素子Ｑ３が接続され、これらにて所謂昇圧チョッパ回路と呼ばれる電源回路が構成されている。
【００１８】
また、電解コンデンサＣ１と並列にスイッチング素子Ｑ１，Ｑ２の直列回路が接続されており、スイッチング素子Ｑ１，Ｑ２の接続点にはカップリングコンデンサＣ２と共振用インダクタＬ２と放電灯Ｌａの直列回路が接続されており、放電灯Ｌａと並列に共振用コンデンサＣ３が接続され、これらにて所謂ハーフブリッジインバータ回路が構成されている。
【００１９】
ここで、電源回路のスイッチング素子Ｑ３とインバータ回路のスイッチング素子Ｑ１，Ｑ２は他励式であり、高耐圧ドライバＩＣなどを含むインバータ制御部１からの駆動信号によって高周波でオン、オフ動作を繰り返している。これにより電源電圧が電源回路で昇圧・平滑され、この直流電圧を高周波でスイッチングして放電灯Ｌａに共振電流を流し、放電灯Ｌａが点灯することとなる。
【００２０】
また、インバータ制御部１には低電源電圧検出回路２が接続されており、低電源電圧検出回路２はコンデンサＣ４と並列に接続されている抵抗Ｒ１，Ｒ２の接続点の電圧を検出している。ここで、低電源電圧検出回路２にはあらかじめ閾値が設定されており、抵抗Ｒ１，Ｒ２の接続点の電圧がこの閾値を下回ると、低電源電圧検出回路２はインバータ制御部１に検出信号を発し、インバータ制御部１がこの信号を受けると、インバータ制御部１は電源回路とインバータ回路のスイッチング動作を停止する。これにより低電源電圧時における部品ストレスを防止している。また、非常灯に用いられる場合には、電源オフ時におけるインバータ回路の残留発振による非常灯リレーの接点蒸着を防止している。
【００２１】
また、図１に示す回路にはノーマルモード雑音を低減するための手段として、全波整流回路ＤＢの出力端間に雑音防止用コンデンサＣ４が接続されており、さらに全波整流回路ＤＢの入力側のライン間にはコモンモード雑音を低減するための手段として、コンデンサＣ５，Ｃ６の直列回路が接続され、その接続点はコンデンサＣ７を介して大地に接続される接地回路を構成している。
【００２２】
本実施形態においては、図８の従来例において雑音低減用のコンデンサＣ５，Ｃ６が全波整流回路ＤＢの出力端の一端に接続されていたものを全波整流回路ＤＢの入力側に移動させたことにより、単相３線式電源における片切りスイッチＳＷの遮断時に全波整流回路ＤＢの出力端間のコンデンサＣ４に電流が流れないような構成としたことで、抵抗Ｒ１，Ｒ２の接続点に電圧が発生しないようにしたことがポイントである。これにより図２の動作波形に示すように、単相３線式電源を片切りスイッチにより電源オフした時に抵抗Ｒ１，Ｒ２の接続点の電圧が直ちに低下し、低電源電圧検出回路２が動作することにより、インバータ回路の発振をすぐに停止させることができる。よって、電源オフ時における発振継続による部品ストレスや、残留発振による非常灯リレーの接点蒸着を回避することができる。
【００２３】
なお、ここでは単相３線式電源と片切りスイッチとの組合せで使用した場合を例に説明したが、単相３線式電源だけでなく、例えば３相４線式電源などを片切りスイッチで遮断した場合に、スイッチを有しない側の電源ラインと大地間に対地電圧が発生し続けるような構成の電源であれば本実施形態の構成により、同様の効果を得ることができる。
【００２４】
（実施形態２）
本発明の実施形態２を図３に示す。本実施形態は実施形態１においてコモンモード雑音低減の手段として、電源ライン両端間にコンデンサＣ５，Ｃ６の直列回路を接続し、その接続点をコンデンサＣ７を介して大地に接続していたものを、図３に示すように電源の片側一線からコンデンサＣ５，Ｃ６の直列回路を介して大地に接続するという構成に変更したものである。その他の回路構成、回路動作については実施形態１と同様のため、ここでは説明を省略する。
【００２５】
実施形態１ではコンデンサＣ５，Ｃ６，Ｃ７のうち何れかが部品の短絡状態となった場合に電源間短絡、あるいは電源一線とアース間が短絡するのを防止するためにコンデンサが３個（Ｃ５，Ｃ６，Ｃ７）必要であったが、本実施形態については電源片側一線から大地に接続するという構成としたため、コンデンサは２個（Ｃ５，Ｃ６）でよい。本実施形態によると、電源スイッチＳＷが挿入されている電源ラインと反対側の電源ラインからコンデンサＣ５，Ｃ６を介して大地に接地することにより、実施形態１と比べると部品数が減らせるうえ、実施形態１と同様の効果を得ることができる。
【００２６】
（実施形態３）
本発明の実施形態３を図４に示す。本実施形態は、初期照度補正装置３を備えた点灯装置において、コモンモード雑音低減のためのコンデンサＣ５，Ｃ６を全波整流回路ＤＢの入力端側電源ラインの一端に接続し、大地へと接地する接地手段を設けたものである。
【００２７】
初期照度補正装置３は、点灯時間メモリー３１、調光比設定部３２、調光信号生成部３３、不揮発性メモリー３４、リセット制御部３５を備えている。点灯時間メモリー３１は、不揮発性メモリー３４に記憶された前回までの累積点灯時間を読み出して記憶し、低電源電圧検出回路２による電源のオン・オフ検知信号を受けて、点灯装置に電源供給されている時間を点灯時間としてカウントアップする。初期照度補正装置３は、インバータ制御部１の制御電源電圧により動作しており、点灯装置への電源供給が遮断されると、制御電源電圧が低下する前に、点灯時間メモリー３１の累積点灯時間を不揮発性メモリー３４に退避させる。不揮発性メモリー３４には、前回までの累積点灯時間のほかに、点灯時間に応じた調光比のテーブルが格納されている。調光比設定部３２では、点灯時間メモリー３１でカウントされた点灯時間に応じて、不揮発性メモリー３４から点灯時間に応じた調光比のデータを読み出して、調光信号生成部３３によりインバータ制御部１の調光信号を生成する。これにより、点灯時間の経過に伴う光束低下を抑制するようにインバータ回路の出力が制御される。
【００２８】
放電灯の交換時においては、負荷である放電灯Ｌａを接続した状態で電源スイッチＳＷをあらかじめ規定された手順でオン・オフすることにより、低電源電圧検出回路２による電源のオン・オフ検知信号を受けて、リセット制御部３５が不揮発性メモリー３４に記憶されたランプの累積点灯時間を初期値にリセットする。
【００２９】
本実施形態においては、図８の従来例において雑音低減用のコンデンサＣ５，Ｃ６が全波整流回路ＤＢの出力端の一端に接続されていたものを全波整流回路ＤＢの入力側に移動させたことにより、単相３線式電源における片切りスイッチＳＷの遮断時にコンデンサＣ４に電流が流れないような構成としたことで、抵抗Ｒ１，Ｒ２の接続点に電圧が発生しないようにしたものである。これにより例えば単相３線式電源を片切りスイッチにより電源オフした場合においても、抵抗Ｒ１，Ｒ２の接続点の電圧が直ちに低下し、低電源電圧検出回路２が動作する。したがって、例えば、電源がオン２秒間、オフ２秒間、オン２秒間、オフ２秒間の後にオンになると点灯時間のリセットが指示されたものと判断してリセット制御部３５が不揮発性メモリー３４に記憶された点灯時間をリセットするような場合においても、規定通りの時間内に低電源電圧検出回路２が動作し、短時間のオン・オフで確実に点灯時間のリセットを行うことが可能となる。
【００３０】
（実施形態４）
本発明の実施形態４を図５に示す。図中、４は無負荷検出回路であり、負荷である放電灯Ｌａが接続されていないときに、無負荷検出信号をリセット制御部３５に与える。本実施形態が実施形態３と異なる点は、放電灯の交換時において、負荷である放電灯を接続しない状態で電源スイッチＳＷをあらかじめ規定された手順でオン・オフすることにより、低電源電圧検出回路２による電源のオン・オフ検知信号を受けて、リセット制御部３５が不揮発性メモリー３４に記憶されたランプの累積点灯時間を初期値にリセットする機能を備えた点灯装置において、図５に示すようにコモンモード雑音低減のためのコンデンサＣ５，Ｃ６を全波整流回路ＤＢの入力端側電源ラインの一端に接続し、大地へと接地する接地手段を設けたものである。
【００３１】
放電灯が接続されていない無負荷状態のときは電源の遮断時に電解コンデンサＣ１の電荷を消費する電力が非常に小さいため、従来例で説明した構成においては、低電源電圧検出回路２が動作するまでの遅れ時間が非常に長いものになってしまう。よって、図５に示すように、コモンモード雑音低減のためのコンデンサＣ５，Ｃ６を全波整流回路ＤＢの入力端側電源ラインの一端に接続し、大地へと接地する接地手段を設けることにより、例えば単相３線式電源を片切りスイッチにより電源オフした場合においても、図６の動作波形図に示すように、電解コンデンサＣ１の残留電圧の影響を受けることなく、コンデンサＣ４および抵抗Ｒ１，Ｒ２の接続点の電圧が直ちに低下し、低電源電圧検出回路２が動作することにより、例えば、無負荷時に電源がオン２秒間、オフ２秒間、オン２秒間、オフ２秒間の後にオンになると点灯時間のリセットが指示されたものと判断してリセット制御部３５が不揮発性メモリー３４に記憶された点灯時間をリセットするような場合においても、規定通りの時間内に低電源電圧検出回路２が動作し、短時間のオン・オフで確実に点灯時間のリセットを行うことが可能となる。
【００３２】
（実施形態５）
本発明の実施形態５を図７に示す。本実施形態では、負荷の有無にかかわらず、あらかじめ規定された手順で電源スイッチＳＷのオン・オフをおこなうことにより、不揮発性メモリー３４に記憶された調光比を切り替え、ランプの調光状態を所望の調光比に設定することのできる照明装置において、図７に示すようにコモンモード雑音低減のためのコンデンサＣ５，Ｃ６を全波整流回路ＤＢの入力端側電源ラインの一端に接続し、大地へと接地する接地手段を設けたものである。
【００３３】
電源スイッチＳＷの規定時間内におけるオン・オフの回数による調光比の設定は例えば、オン・オフ回数が１回で調光比８０％、２回で７０％、３回で６０％、４回で１００％というようにオン・オフによる低電源電圧検出の検出回数に応じて、調光比設定部３２が不揮発性メモリー３４に記憶された調光比を変更するように処理してやればよい。
【００３４】
本実施形態によると、コモンモード雑音低減のためのコンデンサＣ５，Ｃ６を全波整流回路ＤＢの入力端側電源ラインの一端に接続し、大地へと接地する接地手段を設けることにより、例えば単相３線式電源を片切りスイッチにより電源オフした場合においても、コンデンサＣ４および抵抗Ｒ１，Ｒ２の接続点の電圧が直ちに低下し、低電源電圧検出回路２が動作することにより、例えば、数秒間隔での電源スイッチＳＷのオン・オフ回数によって規定通りの時間内に低電源電圧検出回路２が動作することにより、確実に調光比の変更を行うことが可能となる。
【図面の簡単な説明】
【００３５】
【図１】本発明の実施形態１の回路図である。
【図２】本発明の実施形態１の動作波形図である。
【図３】本発明の実施形態２の回路図である。
【図４】本発明の実施形態３の回路図である。
【図５】本発明の実施形態４の回路図である。
【図６】本発明の実施形態４の動作波形図である。
【図７】本発明の実施形態５の回路図である。
【図８】従来の点灯装置の回路図である。
【図９】従来例に用いる変圧器の回路図である。
【図１０】従来の点灯装置の動作説明のための回路図である。
【図１１】従来の点灯装置の動作波形図である。
【符号の説明】
【００３６】
１    インバータ制御部
２    低電源電圧検出回路
【図１】
2006196318.tif 000003
【図２】
2006196318.tif 000004
【図３】
2006196318.tif 000005
【図４】
2006196318.tif 000006
【図５】
2006196318.tif 000007
【図６】
2006196318.tif 000008
【図７】
2006196318.tif 000009
【図８】
2006196318.tif 000010
【図９】
2006196318.tif 000011
【図１０】
2006196318.tif 000012
【図１１】
2006196318.tif 000013